(57)【要約】【課題】  引戸を壁面の開口部側に引き寄せるための構成を簡略化させることが可能な引戸装置を提供すること。【解決手段】  壁面の開口部の上側に設けられたレールと、上記レールに沿って転動する吊りローラを有し上記レールに沿って移動することにより上記開口部を開閉する引戸と、上記レールに設けられ上記開口部側に向かって下り勾配となったレール側傾斜面と、上記吊りローラに設けられ上記レール側傾斜面に当接・配置された吊りローラ側傾斜面と、を具備し、上記レール側傾斜面と上記吊りローラ側傾斜面の相互作用により上記引戸を常時上記開口部側に付勢するようにしたもの。【選択図】図８
2014129644.tif 000002
【特許請求の範囲】
【請求項１】
壁面の開口部の上側に設けられたレールと、
上記レールに沿って転動する吊りローラを有し上記レールに沿って移動することにより上記開口部を開閉する引戸と、
上記レールに設けられ上記開口部側に向かって下り勾配となったレール側傾斜面と、
上記吊りローラに設けられ上記レール側傾斜面に当接・配置された吊りローラ側傾斜面と、
を具備し、
上記レール側傾斜面と上記吊りローラ側傾斜面の相互作用により上記引戸を常時上記開口部側に付勢するようにしたことを特徴とする引戸装置。
【請求項２】
請求項１記載の引戸装置において、
上記引戸には水平ローラが備えられており、
上記壁面の開口部の上側には上記水平ローラが走行する水平ローラ走行面が形成された水平ローラ走行部材が設置されており、
少なくとも上記水平ローラ走行部材の戸先側の端部には上記開口部側に向かって下り勾配の水平ローラ用傾斜面が形成された水平ローラ案内部材が設置されていることを特徴とする引戸装置。
【請求項３】
請求項２記載の引戸装置において、
上記水平ローラが複数備えられており、
上記複数の水平ローラの取付高さがそれぞれ異なっており、
上記複数の水平ローラのそれぞれに対応する上記水平ローラ走行部材と上記水平ローラ案内部材が設けられていることを特徴とする引戸装置。
【請求項４】
請求項２又は請求項３に記載の引戸装置において、
上記開口部上側には上記レールが突出・形成されるとともに上記水平ローラ走行部材が設置される水平ローラ走行部材取付溝が形成されたレールユニットが設置されていることを特徴とする引戸装置。
【請求項５】
請求項４記載の引戸装置において、
上記水平ローラ走行部材取付溝内には水平ローラ案内部材取付溝が形成され、
上記水平ローラ案内部材取付溝内に上記水平ローラ案内部材が設置され、
上記引戸が上記開口部を閉鎖した際に上記水平ローラは上記水平ローラ案内部材取付溝の底部に当接するようにしたことを特徴とする引戸装置。
【請求項６】
請求項１〜請求項５の何れかに記載の引戸装置において、
上記引戸には引戸側係止部材が設けられているとともに、
上記壁面には壁面側係止部材が設けられており、
上記引戸が閉鎖された際に上記引戸側係止部材と上記壁面側係止部材とが係合するように構成されていることを特徴とする引戸装置。
【請求項７】
請求項６記載の引戸装置において、
上記壁面側係止部材は上記水平ローラ走行部材や上記水平ローラ案内部材に対向して設けられているとともに、上記水平ローラ案内部材の水平ローラ用傾斜面に対応した案内面が形成されており、
上記引戸側係止部材は上記水平ローラと同軸に設けられており、
上記引戸が閉鎖方向に移動される際、上記引戸側係止部材が上記壁面側係止部材の案内面に案内されるように構成されていることを特徴とする引戸装置。
【発明の詳細な説明】
【技術分野】
【０００１】
本発明は、例えば、クリーンルームの出入口用開口部を気密状態で閉鎖する引戸装置に係り、特に、引戸を壁面の開口部側に引き寄せるための構成を簡略化させることが可能となるように工夫したものに関する。
【背景技術】
【０００２】
従来の引戸装置としては、例えば、特許文献１〜特許文献３に記載されているようなものが存在している。
特許文献１に記載されたスライド扉装置には、出入口用開口部を閉鎖する扉体と、その扉体をガイドする案内レールとが備えられている。上記扉体は、戸先側と戸尻側にそれぞれ吊り車輪を備えていて、この吊り車輪を介して上記案内レールに移動可能な状態で吊り下げられている。
【０００３】
また、上記案内レールにはガイド部材が備えられている。このガイド部材は上記案内レールと連続したレール面を備えている。このレール面の中央部は上記案内レールよりも上記出入口用開口部側に向けて凹んだ状態で湾曲している。そして、上記扉体により上記出入口用開口部が閉鎖される際には、上記扉体は上記ガイド部材と上記吊り車輪との相互作用によって上記出入口用開口部側に接近するように移動される。
なお、上記ガイド部材は戸先側の吊り車輪に対応するものと、戸尻側の吊り車輪に対応するものとが設置されている。
【０００４】
また、特許文献２に記載されたスライド扉装置は、出入口用開口部を閉鎖する扉体と、この扉体をガイドする案内レールとローラ走行部が備えられている。上記扉体は、戸先側と戸尻側にそれぞれ吊り車輪と水平ガイドローラを備えていて、この吊り車輪を介して上記案内レールから吊り下げられた状態で上記水平ガイドローラにも案内されながら移動するようになっている。
【０００５】
また、上記案内レールの所定位置には上部引き寄せ部材が設置されているとともに、上記ローラ走行部の所定位置には切欠き部が形成され、この切欠き部内に下部引き寄せ部材が設置されている。上記上部引き寄せ部材には、上記案内レールと連続した車輪案内部が形成されており、この車輪案内部の中央部分は出入口用開口部側に突出している。また、上記下部引き寄せ部材には、上記ローラ走行部と連続した凹部であるローラ走行案内部が形成されており、このローラ走行案内部の中央部分も出入口用開口部側に凹んだ状態で湾曲している。そして、上記扉体により上記出入口用開口部が閉鎖される際には、上記扉体は上記上部引き寄せ部材と上記下部引き寄せ部材とによって上記出入口用開口部側に接近するように移動されるようになっている。
なお、上記上部引き寄せ部材と上記下部引き寄せ部材は、戸先側の吊り車輪や水平ガイドローラに対応するものと、戸尻側の吊り車輪や水平ガイドローラに対応するものとが設置されている。
【０００６】
また、特許文献３に記載された冷蔵庫等の扉装置は、プレハブ式の冷蔵庫の庫口を閉鎖する扉とスライドレールが備えられている。上記扉の戸先側と戸尻側にはそれぞれハンガを介してハンガーローラが回転可能に取り付けられている。上記扉は、上記ハンガーローラが上記スライドレールに係合されて吊り下げられた状態で移動するようになっている。
【０００７】
また、上記扉の上部の中央付近には引き寄せローラが備えられているとともに、上記庫口の所定位置には引き寄せ金具が設置されている。上記扉が所定位置に移動されると、上記引き寄せローラと上記引き寄せ金具との相互作用、上記ハンガーの搖動により上記扉が上記庫口側に引き寄せられる。また、上記扉の戸先側と戸尻側にはそれぞれ上ガイドローラが備えられているとともに上記プレハブ式冷蔵庫の所定位置には個々の上記上ガイドローラに対応した上ガイドレールが設置されている。上記扉は、上記上ガイドローラが上記上ガイドレール上を走行することにより、移動するようになっている。また、上記上ガイドレールの戸先側端部には上記庫口側に向かって傾斜された前面後退部が形成されている。上記扉が上記庫口側に引き寄せられた際には、上記上ガイドローラは上記前面後退部に沿って走行する。
【先行技術文献】
【特許文献】
【０００８】
【特許文献１】特開２００５−３２０７５１号公報
【特許文献２】特開２０１１−６８６５号公報
【特許文献３】特開２００７−１１３８８５号公報
【発明の概要】
【発明が解決しようとする課題】
【０００９】
しかし、上記従来の構成では、次のような問題があった。
まず、特許文献１に記載されたスライド扉装置は、扉体を出入口用開口部側に接近させるために、吊り車輪が走行する案内レールに別部材のガイド部材を接続しなければならず、それによって、構成が複雑化してしまうという問題があった。
また、上記案内レールの吊り車輪が走行する面とガイド部材のレール面とが正確に連続している必要があるため、高い加工精度と取付精度が必要とされ、製造や施工が困難であるという問題があった。
【００１０】
また、特許文献２に記載されたスライド扉装置は、扉体を出入口用開口部側に接近させるために、案内レールに別部材の上部引き寄せ部材を設置しなければならず、それによって構成が複雑化してしまうという問題があった。
また、上記案内レールの吊り車輪が走行する面と上部引き寄せ部材の上記吊り車輪が走行する面とが正確に連続している必要があるため、高い加工精度と取付精度が必要とされ、製造や施工が困難であるという問題があった。
【００１１】
また、特許文献３に記載された冷蔵庫等の扉装置は、扉を庫口に引き寄せるためにハンガを搖動させる構成が必要であり、また、上記扉を垂直に保つため上記ハンガに対して上記扉を回動可能に構成しなければならず、構成が複雑化してしまうという問題があった。
【００１２】
本発明は、このような点に基づいてなされたもので、その目的とするところは、引戸を壁面の開口部側に引き寄せるための構成を簡略化させることが可能な引戸装置を提供することにある。
【課題を解決するための手段】
【００１３】
上記課題を解決するべく請求項１に記載された引戸装置は、壁面の開口部の上側に設けられたレールと、上記レールに沿って転動する吊りローラを有し上記レールに沿って移動することにより上記開口部を開閉する引戸と、上記レールに設けられ上記開口部側に向かって下り勾配となったレール側傾斜面と、上記吊りローラに設けられ上記レール側傾斜面に当接・配置された吊りローラ側傾斜面と、を具備し、上記レール側傾斜面と上記吊りローラ側傾斜面の相互作用により上記引戸を常時上記開口部側に付勢するようにしたことを特徴とするものである。
また、請求項２に記載された引戸装置は、請求項１記載の引戸装置において、上記引戸には水平ローラが備えられており、上記壁面の開口部の上側には上記水平ローラが走行する水平ローラ走行面が形成された水平ローラ走行部材が設置されており、少なくとも上記水平ローラ走行部材の戸先側の端部には上記開口部側に向かって下り勾配の水平ローラ用傾斜面が形成された水平ローラ案内部材が設置されていることを特徴とするものである。
また、請求項３に記載された引戸装置は、請求項２記載の引戸装置において、上記水平ローラが複数備えられており、上記複数の水平ローラの取付高さがそれぞれ異なっており、上記複数の水平ローラのそれぞれに対応する上記水平ローラ走行部材と上記水平ローラ案内部材が設けられていることを特徴とするものである。
また、請求項４に記載された引戸装置は、請求項２又は請求項３に記載の引戸装置において、上記開口部上側には上記レールが突出・形成されるとともに上記水平ローラ走行部材が設置される水平ローラ走行部材取付溝が形成されたレールユニットが設置されていることを特徴とするものである。
また、請求項５に記載された引戸装置は、請求項４記載の引戸装置において、上記水平ローラ走行部材取付溝内には水平ローラ案内部材取付溝が形成され、上記水平ローラ案内部材取付溝内に上記水平ローラ案内部材が設置され、上記引戸が上記開口部を閉鎖した際に上記水平ローラは上記水平ローラ案内部材取付溝の底部に当接するようにしたことを特徴とするものである。
また、請求項６に記載された引戸装置は、請求項１〜請求項５の何れかに記載の引戸装置において、上記引戸には引戸側係止部材が設けられているとともに、上記壁面には壁面側係止部材が設けられており、上記引戸が閉鎖された際に上記引戸側係止部材と上記壁面側係止部材とが係合するように構成されていることを特徴とするものである。
また、請求項７に記載された引戸装置は、請求項６記載の引戸装置において、上記壁面側係止部材は上記水平ローラ走行部材や上記水平ローラ案内部材に対向して設けられているとともに、上記水平ローラ案内部材の水平ローラ用傾斜面に対応した案内面が形成されており、上記引戸側係止部材は上記水平ローラと同軸に設けられており、上記引戸が閉鎖方向に移動される際、上記引戸側係止部材が上記壁面側係止部材の案内面に案内されるように構成されていることを特徴とするものである。
【発明の効果】
【００１４】
以上述べたように、請求項１記載の引戸装置によると、壁面の開口部の上側に設けられたレールと、上記レールに沿って転動する吊りローラを有し上記レールに沿って移動することにより上記開口部を開閉する引戸と、上記レールに設けられ上記開口部側に向かって下り勾配となったレール側傾斜面と、上記吊りローラに設けられ上記レール側傾斜面に当接・配置された吊りローラ側傾斜面と、を具備し、上記レール側傾斜面と上記吊りローラ側傾斜面の相互作用により上記引戸を常時上記開口部側に付勢するようにしたため、上記吊りローラ側傾斜面を上記レール側傾斜面に対して滑らせることで、例えば、上記レールをその一部を変形させたり別の案内用部材を取付けたりしたような複雑な構成としなくても、上記引戸を上記開口部側に移動させ、上記引戸によって上記開口部を閉鎖させることができる。また、上記レール側傾斜面と上記吊りローラ側傾斜面との相互作用と重力の作用によって、上記引戸を上記開口部側に移動させることができるようになっており、上記引戸によって容易に上記開口部を閉鎖させることができるとともに、閉鎖された上記開口部が不用意に解放されてしまうことを防止することができる。
また、請求項２に記載された引戸装置は、請求項１記載の引戸装置において、上記引戸には水平ローラが備えられており、上記壁面の開口部の上側には上記水平ローラが走行する水平ローラ走行面が形成された水平ローラ走行部材が設置されており、少なくとも上記水平ローラ走行部材の戸先側の端部には上記開口部側に向かって下り勾配の水平ローラ用傾斜面が形成された水平ローラ案内部材が設置されているため、上記水平ローラによって上記引戸の開閉を容易なものとすることができる。また、上記水平ローラ走行部材の寸法や設置位置の変更を行うことで、上記水平ローラ案内部材の位置を容易に変更することができ、施工時の調整を容易なものとすることができる。
また、請求項３に記載された引戸装置は、請求項２記載の引戸装置において、上記水平ローラが複数備えられており、上記複数の水平ローラの取付高さがそれぞれ異なっており、上記複数の水平ローラのそれぞれに対応する上記水平ローラ走行部材と上記水平ローラ案内部材が設けられているため、簡易な構成により、引き残し（開口部を開放させた時の、開口部と引戸との重複部分）を小さなものとすることができる。
また、請求項４に記載された引戸装置は、請求項２又は請求項３に記載の引戸装置において、上記開口部上側には上記レールが突出・形成されるとともに上記水平ローラ走行部材が設置される水平ローラ走行部材取付溝が形成されたレールユニットが設置されているため、上記水平ローラ走行部材の設置や位置の調整等を容易に行うことができる。
また、請求項５に記載された引戸装置は、請求項４記載の引戸装置において、上記水平ローラ走行部材取付溝内には水平ローラ案内部材取付溝が形成され、上記水平ローラ案内部材取付溝内に上記水平ローラ案内部材が設置され、上記引戸が上記開口部を閉鎖した際に上記水平ローラは上記水平ローラ案内部材取付溝の底部に当接するようにしたため、上記水平ローラ走行部材や上記水平ローラ案内部材の設置や位置の調整等を容易に行うことができる。
また、請求項６に記載された引戸装置は、請求項１〜請求項５の何れかに記載の引戸装置において、上記引戸には引戸側係止部材が設けられているとともに、上記壁面には壁面側係止部材が設けられており、上記引戸が閉鎖された際に上記引戸側係止部材と上記壁面側係止部材とが係合するように構成されているため、上記引戸によって上記開口部を閉鎖した際、上記引戸が不用意に反開口部側に移動してしまうことを防止できる。
また、請求項７に記載された引戸装置は、請求項６記載の引戸装置において、上記壁面側係止部材は上記水平ローラ走行部材や上記水平ローラ案内部材に対向して設けられているとともに、上記水平ローラ案内部材の水平ローラ用傾斜面に対応した案内面が形成されており、上記引戸側係止部材は上記水平ローラと同軸に設けられており、上記引戸が閉鎖方向に移動される際、上記引戸側係止部材が上記壁面側係止部材の案内面に案内されるように構成されているため、上記引戸側係止部材を確実に上記壁面側係止部材に係合させることができる。
【図面の簡単な説明】
【００１５】
【図１】本発明の一実施の形態を示す図で、本実施の形態による引戸装置の引戸によって開口部を閉鎖した状態を示す正面図である。
【図２】本発明の一実施の形態を示す図で、図１におけるＩＩ−ＩＩ断面図である。
【図３】本発明の一実施の形態を示す図で、本実施の形態による引戸装置のレールユニットを示す正面図であり、シリンダを省いたものである。
【図４】本発明の一実施の形態を示す図で、図３におけるＩＶ−ＩＶ断面図である。
【図５】本発明の一実施の形態を示す図で、図３におけるＶ−Ｖ矢視図である。
【図６】本発明の一実施の形態を示す図で、図３におけるＶＩ−ＶＩ矢視図である。
【図７】本発明の一実施の形態を示す図で、図１におけるＶＩＩ−ＶＩＩ矢視図であり、引戸のみを抽出したものである。
【図８】本発明の一実施の形態を示す図で、図１におけるＶＩＩＩ−ＶＩＩＩ矢視図である。
【図９】本発明の一実施の形態を示す図で、図９（ａ）は本実施の形態における引戸装置のローラユニットを後方側から見た斜視図であり、図９（ｂ）は本実施の形態における引戸装置のローラユニットを前方側から見た斜視図である。
【図１０】本発明の一実施の形態を示す図で、図１におけるＸ−Ｘ矢視図である。
【図１１】本発明の一実施の形態を示す図で、図１におけるＸＩ部の拡大図である。
【図１２】本発明の一実施の形態を示す図で、図２におけるＸＩＩ部の拡大図であって、開口部が解放され、本実施における引戸装置の引戸が反開口部側に移動している状態を示す図である。
【図１３】本発明の一実施の形態を示す図で、図１におけるＸＩＩＩ−ＸＩＩＩ断面図である。
【図１４】本発明の一実施の形態を示す図で、本実施の形態による引戸装置の引戸が開放位置にある様子を示した図で、引戸、戸先側ローラユニット、戸尻側ローラユニット、レールユニットを抽出し上方より見た図である。
【図１５】本発明の一実施の形態を示す図で、本実施の形態による引戸装置の引戸が走行状態にあって戸先側まで到達した様子を示した図で、引戸、戸先側ローラユニット、戸尻側ローラユニット、レールユニットを抽出し上方より見た図である。
【図１６】本発明の一実施の形態を示す図で、本実施の形態による引戸装置の引戸が閉鎖位置にある様子を示した図で、引戸、戸先側ローラユニット、戸尻側ローラユニット、レールユニットを抽出し上方より見た図である。
【図１７】本発明の一実施の形態を示す図で、本実施の形態による引戸装置の引戸が開放位置にある様子を示した図で、引戸、戸先側ローラユニット、レールユニットを抽出し右側から見た図である。
【図１８】本発明の一実施の形態を示す図で、本実施の形態による引戸装置の引戸が走行状態にある様子を示した図で、引戸、戸先側ローラユニット、レールユニットを抽出し右側から見た図である。
【図１９】本発明の一実施の形態を示す図で、本実施の形態による引戸装置の引戸が閉鎖位置にある様子を示した図で、引戸、戸先側ローラユニット、レールユニットを抽出し右側から見た図である。
【図２０】本発明の一実施の形態を示す図で、本実施の形態による引戸装置の引戸が開放位置にある様子を示した図で、引戸、戸尻側ローラユニット、レールユニットを抽出し右側から見た図である。
【図２１】本発明の一実施の形態を示す図で、本実施の形態による引戸装置の引戸が走行状態となっている様子を示した図で、引戸、戸尻側ローラユニット、レールユニットを抽出し右側から見た図である。
【図２２】本発明の一実施の形態を示す図で、本実施の形態による引戸装置の引戸が閉鎖位置にある様子を示した図で、引戸、戸尻側ローラユニット、レールユニットを抽出し右側から見た図である。
【図２３】本発明の一実施の形態を示す図で、本実施の形態による引戸装置の引戸が開放位置にある様子を示した図で、引戸、壁、開口部、下側ガイドローラを抽出し上方から見た断面図である。
【図２４】本発明の一実施の形態を示す図で、本実施の形態による引戸装置の引戸が走行状態となっている様子を示した図で、引戸、壁、開口部、下側ガイドローラを抽出し上方から見た断面図である。
【図２５】本発明の一実施の形態を示す図で、本実施の形態による引戸装置の引戸が閉鎖位置にある様子を示した図で、引戸、壁、開口部、下側ガイドローラを抽出し上方から見た断面図である。
【発明を実施するための形態】
【００１６】
以下、図１〜図２５を参照しながら、本発明の一実施の形態について説明する。
まず、図１〜図１３を参照しながら、本実施の形態による引戸装置１の構成について説明する。
上記引戸装置１は、図１及び図２に示すように、壁面３に形成された開口部５の上方に設置されたレールユニット７と、このレールユニット７から吊り下げられた状態で移動し上記開口部５を閉鎖する引戸９、及び、設置面１１の上記開口部５前方側に設置された戸先側下部ガイドユニット１３ａ、戸尻側下部ガイドユニット１３ｂとから構成されている。
【００１７】
まず、上記レールユニット７の構成について説明する。上記レールユニット７には、図１〜図４に示すように、基板１５が備えられている。この基板１５は、例えば、図４に示すように、上側基板１７と下側基板１９とが組み合わされたものである。図４に示すように、上記上側基板１７の表側（図４中左側）には係合凸部２１が形成されているとともに、上記下側基板１９の裏側（図４中右側）には係合凹部２３が形成されており、上記係合凸部２１と係合凹部２３を係合させることで、上記上側基板１７と下側基板２９とが組み合わされている。
【００１８】
また、例えば、図４に示すように、上記上側基板１７の上端（図４中上側端）から表側（図４中左側）に向けてカバー取付部２５が突出・形成されている。図２に示すように、このカバー取付部２５の先端側には上面カバ２７や前面カバ２９が取り付けられ、この上面カバ２７や前面カバ２９によって、上記レールユニット７全体や上記引戸９の上端部（図２中上側端部）が隠蔽される。
【００１９】
また、例えば、図４に示すように、上記下側基板１９の表側（図４中左側）にはシリンダ取付溝３１、３３が形成されている。このシリンダ取付溝３１の表側開口部（図４中左側の開口部）の縁には、上記シリンダ取付溝３１の内側（図４中上側又は下側）に向かって係合凸部３５、３５が突出・形成されている。また、上記シリンダ取付溝３３の開口部の縁にも、同様に係合凸部３７、３７が突出・形成されている。
【００２０】
そして、図１に示すように、上記レールユニット７にはシリンダ３９、４１が設置されている。上記シリンダ３９は、上記シリンダ取付溝３１内に挿入・固定された取付プレート４３を介して、上記レールユニット７に設置されている。また、上記シリンダ４１は、上記シリンダ取付溝３３内に挿入・固定された取付プレート４５を介して、上記レールユニット７に設置されている。
【００２１】
上記シリンダ３９、４１は本実施の形態においてはエアシリンダであり、ロッド４８ａが摺動可能に備えられている。戸先側（図１中左側）に配置された上記シリンダ３９の場合は、上記ロッド４８ａが戸先側（図１中左側）に移動されると、上記シリンダ３９内部の空気が圧縮され、上記ロッド４８ａを戸尻側（図１中右側）に押し返そうとする反発力が生ずる。戸尻側（図１中右側）に配置された上記シリンダ４１の場合は、上記ロッド４８ａが戸尻側（図１中右側）に移動されると、上記シリンダ４１内部の空気が圧縮され、上記ロッド４８ａを戸先側（図１中左側）に押し返そうとする反発力が生ずる。
また、上記シリンダ３９、４１のロッド４８ａの先端には、例えば、鉄製の先端部材４８ｂが固着されている。
【００２２】
また、例えば、図４に示すように、上記下側基板１９には、水平ローラ走行部材取付溝４７が形成されている。この水平ローラ部材取付溝４７内部の中央には水平ローラ案内部材取付溝４９が形成されている。また、上記水平ローラ部材取付溝４７内部であって上記水平ローラ案内部材取付溝４９の上下両側（図４中上側及び下側）にはナット用溝５１、５３が形成されている。このナット用溝５１、５３は表側開口部（図４中左側の開口部）の幅（図４中上下方向の大きさ）が内部の幅（図４中上下方向の大きさ）よりも小さくなっている。
【００２３】
そして、例えば、図４に示すように、上記水平ローラ走行部材取付溝４７には、上側水平ローラ走行部材５５と下側水平ローラ走行部材５７が設置されている。上記上側水平ローラ走行部材５５は板状の部材であり、図５に示すように、反開口部５側に上側水平ローラ走行面５９が形成されている。また、上記下側水平ローラ走行部材５７も上記上側水平ローラ走行部材５５と同様の構成であり、図６に示すように、下側水平ローラ走行面６１が形成されている。
【００２４】
また、図４に示すように、上記上側水平ローラ走行部材５５は、上記上側水平ローラ走行部材５５を貫通して上記ナット用溝５１内に挿入されたナット６３に螺合されるネジ６５によって固定されている。また、上記下側水平ローラ走行部材５７も同様に、上記下側水平ローラ走行部材５７を貫通して上記ナット用溝５３内に挿入されたナット６７に螺合されるネジ６９によって固定されている。
【００２５】
また、図４、図５に示すように、上記上側水平ローラ走行部材５５の戸先側（図５中左側）端部の上記水平ローラ案内部材取付溝４９内には、上部戸先側水平ローラ案内部材７１が設置されているとともに、上記上側水平ローラ走行部材５５の戸尻側（図５中右側）端部の上記水平ローラ案内部材取付溝４９内には、上部戸尻側水平ローラ案内部材７３が設置されている。
【００２６】
上記上部戸先側水平ローラ案内部材７１は、図５に示すように、戸先側（図５中左側）に開口部５側（図５中上側）へ向かって傾斜された上部戸先側水平ローラ用傾斜面７５が形成されている。また、上記上部戸先側水平ローラ案内部材７１の反開口部５側（図５中下側）には切欠部７７が形成されており、この切欠部７７に上記上側水平ローラ走行部材５５の戸先側端部（図５中左側端部）が係合されている。
【００２７】
また、上記上部戸尻側水平ローラ案内部材７３も、同様に、戸尻側（図５中右側）に開口部５側（図５中上側）へ向かって傾斜された上部戸尻側水平ローラ用傾斜面７９が形成されている。また、上記上部戸尻側水平ローラ案内部材７３の反開口部５側（図５中下側）にも切欠部８１が形成されており、この切欠部８１に上記上側水平ローラ走行部材５５の戸尻側端部（図５中右側端部）が係合されている。
【００２８】
また、図５に示すように、上記上部戸先側水平ローラ案内部材７１は、上記上側水平ローラ走行部材５５を貫通し、上記上部戸先側水平ローラ案内部材７１に螺合されるネジ８３、８３によって固定されている。また、上記上部戸尻側水平ローラ案内部材７３も同様に、上記上側水平ローラ走行部材５５を貫通し、上記上部戸尻側水平ローラ案内部材７３に螺合されるネジ８５、８５によって固定されている。
【００２９】
また、図４や図６に示すように、上記下側水平ローラ走行部材５７の戸先側（図６中左側）端部の上記水平ローラ案内部材取付溝４９内には、下部戸先側水平ローラ案内部材８７が設置されているとともに、上記下側水平ローラ走行部材５７の戸尻側（図６中右側）端部の上記水平ローラ案内部材取付溝４９内には、下部戸尻側水平ローラ案内部材８９が設置されている。
【００３０】
上記下部戸先側水平ローラ案内部材８７は、図６に示すように、戸先側（図６中左側）に開口部５側（図６中上側）へ向かって傾斜された下部戸先側水平ローラ用傾斜面９１が形成されている。また、上記下部戸先側水平ローラ案内部材８７の反開口部５側（図６中下側）には切欠部９３が形成されており、この切欠部９３に上記下側水平ローラ走行部材５７の戸先側端部（図６中左側端部）が係合されている。
【００３１】
また、上記下部戸尻側水平ローラ案内部材８９も、同様に、戸尻側（図６中右側）に開口部５側（図５中上側）へ向かって傾斜された下部戸尻側水平ローラ用傾斜面９５が形成されている。また、上記下部戸尻側水平ローラ案内部材８９の反開口部５側（図６中下側）にも切欠部９７が形成されており、この切欠部９７に上記下側水平ローラ走行部材５７の戸尻側端部（図６中右側端部）が係合されている。
【００３２】
また、図６に示すように、上記下部戸先側水平ローラ案内部材８７は、上記下側水平ローラ走行部材５７を貫通し、上記下部戸先側水平ローラ案内部材８７に螺合されるネジ９９、９９によって固定されている。また、上記下部戸尻側水平ローラ案内部材８９も同様に、上記下側水平ローラ走行部材５７を貫通し、上記下部戸尻側水平ローラ案内部材８９に螺合されるネジ１０１、１０１によって固定されている。
【００３３】
また、図５に示すように、上記上側水平ローラ走行部材５５の戸先側（図５中左側）には、上部壁面側係止部材１０３が設置されている。この上部壁面側係止部材１０３は板状部材を屈曲させたものであり、その戸尻側（図５中右側）には上記上部戸先側水平ローラ用傾斜面７５に対応した係止部材側案内面１０５が形成されている。また、上記上部壁面側係止部材１０３は、上記上部壁面側係止部材１０３を貫通し、下側基板１９のナット用溝５１に内装された図示しないナットに螺合されるネジ１０７、１０７によって固定されている。
【００３４】
また、図６に示すように、上記下側水平ローラ走行部材５７の戸先側（図６中左側）には、下部壁面側係止部材１０９が設置されている。この下部壁面側係止部材１０９も、上記上部壁面側係止部材１０３と同様の構成を成しており、その戸尻側（図６中右側）には上記下部戸先側水平ローラ用傾斜面９１に対応した係止部材側案内面１１１が形成されている。また、上記下部壁面側係止部材１０９は、上記下部壁面側係止部材１０９を貫通し、下側基板１９のナット用溝５３に内装された図示しないナットに螺合されるネジ１１３、１１３によって固定されている。
【００３５】
レールユニット７の戸先側には戸先側ストッパ１１５が設置されており、上記レールユニット７の戸尻側には戸尻側ストッパ１１７が設置されている。上記戸先側ストッパ１１５は、戸先側ストッパ１１５を貫通し、上記下側基板１９のナット用溝５１とナット用溝５３に内装された図示しないナットに螺合されるネジ１１９、１１９、１１９、１１９によって固定されている。また、図５に示すように、上記戸先側ストッパ１１５の戸尻側（図５中右側）には、当接部材１２０が備えられている。この当接部材１２０は、例えば、ゴム製であり、引戸９が戸先側の限界まで移動された時に、上記引戸９の戸先側端部が当接されるものである。
また、上記戸尻側ストッパ１１７は、戸尻側ストッパ１１７を貫通し、上記下側基板１９のナット用溝５１とナット用溝５３に内装された図示しないナットに螺合されるネジ１２１、１２１、１２１、１２１によって固定されている。また、図６に示すように、上記戸先側ストッパ１１７の戸先側（図６中左側）には、当接部材１２２が備えられている。この当接部材１２２は、上記当接部材１２０と同様の部材であり、上記引戸９が戸尻側の限界まで移動された時に、上記引戸９の戸尻側端部が当接されるものである。
【００３６】
また、例えば、図４に示すように、上記レールユニット７の下側基板１９の下端部（図４中下側端部）から、表側（図４中左側）に向かって、レール１２３が突出・形成されている。このレール１２３の先端側は上側（図４中上側）に突出され、その上端面（図４中上側端面）にはレール側傾斜面１２５が形成されている。
以上が、上記レールユニット７の構成の説明である。
【００３７】
次に、引戸９とその付属物の構成について説明する。上記引戸９は、例えば、図１に示すように、略長方形形状の板状部材からなる引戸本体１２６ａと、この引戸本体１２６ａの外周側に備えられた枠部材１２６ｂ、１２６ｃ、１２６ｄ、１２６ｅとから構成される。
【００３８】
また、例えば、図１、図２、及び、図７に示すように、上記引戸９の上端面（図７中紙面垂直方向手前側の面）の戸先側（図７中左側）には戸先側ローラユニット１２７が設置されており、上記引戸９の上端面（図７中紙面垂直方向手前側の面）の戸尻側（図７中右側）には戸尻側ローラユニット１２９が設置されている。
図８や図９に示すように、上記戸先側ローラユニット１２９には、まず、本体１３１がある。この本体１３１は、水平に配置された板状の水平部１３３と、この水平部１３３の前面側（図９（ａ）中左上側）から上側（図９（ａ）中上側）に向けて垂直に突出・形成された垂直部１３５とから構成されている。
【００３９】
上記水平部１３３には貫通孔１３７、１３７が形成されており、上記ローラユニット１２９は、この貫通孔１３７、１３７を貫通し上記引戸９に螺合される図示しないボルトによって固定される。また、上記垂直部１３５の上端部（図９（ａ）中上端部）からは、前方側（図９（ａ）中左上側）に前方側突出部１３９が突出・形成されている。
【００４０】
また、上記本体１３１の垂直部１３５には、吊りローラ取付部材１４１が固着されている。この吊りローラ取付部材１４１には、上記本体１３１の水平部１３３に当接された水平部１４３と、この水平部１４３の前面側（図９（ａ）中左上側）から上側（図９中上側）に向けて垂直に突出・形成された垂直部１４５がある。
【００４１】
また、この垂直部１４５の幅方向（図９（ａ）中左下から右上に向かう方向）両端側から後方側（図９（ａ）中右下側）に後方側突出部１４７、１４７が突出・形成されており、上記垂直部１４５の幅方向（図９（ａ）中左下から右上に向かう方向）中央部から前方側（図９（ａ）中左上側）に前方側突出部１４９が突出・形成されている。上記吊りローラ取付部材１４１は、上記吊りローラ取付部材１４１の前方側突出部１４９を貫通し上記本体１３１の前方突出部１３９に螺合されるボルト１５１、及び、上記本体１３１の垂直部１３５を貫通し上記吊りローラ取付部材１４１の垂直部１４５に螺合されるボルト１５３、１５３によって、上記本体１３１に対して固着されている。
【００４２】
また、上記吊りローラ取付部材１４１の垂直部１４５には図示しない回転軸が立設されており、この回転軸には吊りローラ１５５が回転可能に保持されている。この吊りローラ１５５は、例えば、図７に示すように、中央部分がテーパ形状となっているローラであり、前端側（図７中下側）よりも後端側（図７中上側）の方が大径となっている。また、このローラのテーパ面は吊りローラ側傾斜面１５７であり、例えば、図８に示すように、レール１２３のレール側傾斜面１２５の傾斜角度に対応した傾斜角度を成している。
また、上記吊りローラ１５５の前端側（図７中下側）と後端側（図７中上側）にはフランジ部１５９、１６１が形成されている。このフランジ部１５９、１６１の径は同じであり、且つ、上記吊りローラ１５５の吊りローラ側傾斜面１５７が形成されている部分よりも大径である。
【００４３】
また、例えば、図９に示すように、上記吊りローラ取付部材１４１には、水平ローラ取付部材１６３が固着されている。この水平ローラ取付部材１６３は、略コの字型の形状を成す基部１６５と、この基部１６５の後方（図９（ａ）中右下側）に固着された水平ローラ保持部１６７とからなる。上記水平ローラ保持部１６７の上端部（図９（ａ）中上側端部）からは後方（図９（ａ）中右下側に向かう方向）に後方突出部１６９が突出・形成されている。上記水平ローラ保持部１６７は、上記水平ローラ保持部１６７を貫通し、上記基部１６５に螺合されるネジ１７１、１７１によって上記基部に固着されている。
【００４４】
また、上記基部１６５は、その幅方向（図９（ａ）中左下から右上に向かう方向）両端側を貫通し、上記吊りローラ取付部材１４１の後方側突出部１４７、１４７に螺合されるネジ１７３、１７３、１７３、１７３によって、上記吊りローラ取付部材１４１に固着されている。これによって、上記水平ローラ取付部材１６３が上記吊りローラ取付部材１４１に固着されている。
上記水平ローラ取付部材１６３の水平ローラ保持部１６７には上記吊りローラ１５５の回転軸に直交する図示しない回転軸が設置されており、この回転軸には水平ローラ１７５が回転可能に保持されている。この水平ローラ１７５は略円筒形状のローラであり、上記水平ローラ保持部１６７の後方突出部１６９の下側（図９（ａ）中下側）に配置されている。
【００４５】
また、上記水平ローラ１７５の図示しない回転軸には係止ナット１７７が固着されている。この係止ナット１７７は、内部に図示しない雌ネジ部が形成されており、この雌ネジ部が上記水平ローラ１７５の図示しない回転軸の雄ネジ部に螺合されることで固定されている。また、上記係止ナット１７７は、上記水平ローラ保持部１６７の後方突出部１６９の上側（図９（ａ）中上側）に配置されている。上記係止ナット１７７は、引戸側係止部材として作用する部材であり、上部壁面側係止部材１０３や下部壁面側係止部材１０９と当接することで、開口部５を閉鎖した引戸９の反開口部５側への移動を防止する。
【００４６】
また、上記吊りローラ１５５の下方（図９（ａ）中下側）には外れ止め部材１７９が設置されている。この外れ止め部材１７９には、図９（ｂ）に示すように、板状の取付部材１８１が固着されている。上記外れ止め部材１７９は上記取付部材１８１を貫通し、上記外れ止め部材１７９に螺合されるネジ１８３によって上記取付部材１８１に固着されている。そして、上記取付部材１８１は、上記取付部材１８１を貫通し上記本体１３１の垂直部１３５に螺合されるネジ１８５、１８５によって上記本体１３１に固着されており、これによって、上記外れ止め部材１７９が上記本体１３１に固着されている。また、上記外れ止め部材１７９は、上記本体１３１の垂直部１３５の貫通孔１８７を貫通して上記吊りローラ１５５側（図９（ｂ）中左上側）に突出されている。
【００４７】
また、戸尻側ローラユニット１２９は、図１０に示すように、上記戸先側ローラユニット１２７と略同様の構成を成しているが、水平ローラ１７５の取付高さ（図１０中上下方向の位置）が異なっている。すなわち、上記戸尻側ローラユニット１２９においては、水平ローラ保持部１６７の後方突出部１６９は下側にあり、上記水平ローラ１７５は上記水平ローラ保持部１６７の後方突出部１６９の上側（図１０中上側）に配置されており、係止ナット１７７は上記水平ローラ保持部１６７の後方突出部１６９の下側（図１０中下側）に配置されている。
なお、上記戸尻側ローラユニット１２９の構成要素については、上記戸先側ローラユニット１２７の構成要素と同一の符号を付しており、その説明を省略する。
【００４８】
また、上記戸先側ローラユニット１２７と上記戸尻側ローラユニット１２９とによって、引戸９がレールユニット７のレール１２３に対して吊り下げられた状態で移動可能に設置されている。すなわち、図８に示すように、上記戸先側ローラユニット１２７の吊りローラ１５５の吊りローラ側傾斜面１５７と上記レール１２３のレール側傾斜面１２５とが当接するとともに、図１０に示すように、上記戸尻側ローラユニット１２９の吊りローラ１５５の吊りローラ側傾斜面１５７と上記レール１２３のレール側傾斜面１２５とが当接している。  また、上記レール側傾斜面１２５と上記吊りローラ側傾斜面１５７の相互作用と重力の働きにより、上記引戸９は下側且つ開口部５側（図８中左上から右下に向かう方向）に常時付勢された状態となっている。
【００４９】
また、上記引戸９が移動する際には、上記戸先側ローラユニット１２７の水平ローラ１７５が上側水平ローラ走行面５９、上部戸先側水平ローラ用傾斜面７５、及び、上部戸尻側水平ローラ用傾斜面７９を走行することになるとともに、上記戸尻側ローラユニット１２９の水平ローラ１７５が下側水平ローラ走行面６１、下部戸先側水平ローラ用傾斜面９１、及び、下部戸尻側水平ローラ用傾斜面９５を走行することになる。
【００５０】
上記戸先側ローラユニット１２７の水平ローラ１７５が上部戸先側水平ローラ用傾斜面７５を走行し、上記戸尻側ローラユニット１２９の水平ローラ１７５が下部戸先側水平ローラ用傾斜面９１を走行する場合や、上記戸先側ローラユニット１２７の水平ローラ１７５が上部戸尻側水平ローラ用傾斜面７９を走行し、上記戸尻側ローラユニット１２９の水平ローラ１７５が下部戸尻側水平ローラ用傾斜面９５を走行する場合には、上記引戸９は上記レール側傾斜面１２５に沿った方向（図８中左上から右下に向かう方向、又は、右下から左上に向かう方向）にも移動する。これは、上記レール側傾斜面１２５と上記吊りローラ側傾斜面１５７の相互作用によるものである。この移動により、上記引戸９による開口部５の閉鎖と解放が行われる。
【００５１】
また、図１に示すように、上記戸先側ローラユニット１２７には、戸先側シリンダ当接部材１８９が備えられている。この戸先側シリンダ当接部材１８９は、略コの字形状の部材であり、その両端部を上記戸先側ローラユニット１２７に接続・固定されている。また、上記戸先側シリンダ当接部材１８９の裏側（図１中紙面垂直方向裏側）には上端部（図１中上側端部）から下側（図１中下側）に突出された状態で磁石取付部材１９０が設置されており、この磁石取付部材に磁石１９１が固着されている。
また、上記戸尻側ローラユニット１２９には、戸尻側シリンダ当接部材１９３が備えられている。この戸尻側シリンダ当接部材１９３にも、その上端部（図１中上側端部）の裏側（図１中紙面垂直方向裏側）に、図示しない磁石が固着されている。
【００５２】
上記戸先側シリンダ当接部材１８９は、引戸９が戸尻側（図１中右側）に移動していくと、シリンダ４１のロッド４８ａと当接し、磁石１９１に先端部材４８ｂが吸着した状態となる。そして、上記シリンダ４１は上記戸先側シリンダ当接部材１８９と上記戸先側ローラユニット１２７を介して、上記引戸９を減速させるように作用する。
一方、上記引戸９が戸先側（図１中左側）に移動していくと、上記戸先側シリンダ当接部材１８９の磁石１９１によって上記シリンダ４１のロッド４８ａが引き出されていく。そして、所定距離だけ上記引戸９が移動すると、上記磁石１９１と上記シリンダ４１のロッド４８ａが離れる。
【００５３】
また、上記戸尻側シリンダ当接部材１９３は、引戸９が戸先側（図１中左側）に移動していくと、シリンダ３９のロッド４８ａと当接し、図示しない磁石に先端部材４８ｂが吸着した状態となる。そして、上記シリンダ３９は上記戸尻側シリンダ当接部材１９３と上記戸尻側ローラユニット１２９を介して、上記引戸９を減速させるように作用する。
一方、上記引戸９が戸尻側（図１中右側）に移動していくと、上記戸尻側シリンダ当接部材１９３の図示しない磁石１９１によって上記シリンダ３９のロッド４８ａが引き出されていく。そして、所定距離だけ上記引戸９が移動すると、上記図示しない磁石１９１と上記シリンダ３９のロッド４８ａが離れる。
【００５４】
また、例えば、図１１〜図１３に示すように、上記引戸９の下端側（図１１中下側）の戸先側（図１１中左側）には、戸先側下部被ガイド部材１９５が設置されている。また、上記引戸９の下端側（図１１中下側）の戸尻側（図１１中右側）には、戸尻側下部被ガイド部材１９７が設置されている。
【００５５】
例えば、図１３に示すように、上記戸先側下部被ガイド部材１９５の表側（図１３中下側）には、上部戸先側水平ローラ用傾斜面７５や下部戸先側水平ローラ用傾斜面９１に平行な傾斜被ガイド面１９９と、上側水平ローラ走行面５９や下側水平ローラ走行面６１に平行な水平被ガイド面２０１が形成されている。
また、上記戸尻側下部被ガイド部材１９７も同様の構成を成しており、傾斜被ガイド面１９９や水平被ガイド面２０１が形成されている。
【００５６】
また、図１１〜図１３に示すように、設置面１１には戸先側下部ガイドユニット１３ａと戸尻側下部ガイドユニット１３ｂが設置されている。上記戸先側下部ガイドユニット１３ａは開口部５の前方（図１２中左側）の戸先側（図１１中左側）に設置されており、上記戸尻側下部ガイドユニット１３ｂは上記開口部５の前方（図１２中左側）の戸尻側（図１１中左側）に設置されている。
【００５７】
上記戸先側下部ガイドユニット１３ａと上記戸尻側下部ガイドユニット１３ｂは、同一の構成を成している。よって、図１２を参照しながら上記戸先側下部ガイドユニット１３ａの構成について説明する。
【００５８】
図１２に示すように、まず、上記戸先側下部ガイドユニット１３ａ（上記戸尻側下部ガイドユニット１３ｂ）には、ガイドローラ支持部材２０３がある。このガイドローラ支持部材２０３は略コの字型の形状の部材であり、上記設置面１１に埋設され、上記ガイドローラ支持部材２０３の底部２０５を貫通するスタッド２０７と、このスタッド２０７の反設置面１１側（図１２中上側）に螺合されたナット２０９によって固定されている。また、上記ナット２０９と上記ガイドローラ支持部材２０３の底部２０５との間にはワッシャ２１１が介挿されている。
【００５９】
上記ガイドローラ支持部材２０３の上部２１３にはガイドローラ２１５が設置されている。このガイドローラ２１５は軸部２１７を介して図示しない軸受により回転可能に支持されている。そして、上記軸部２１７は上記ガイドローラ支持部材２０３の上部２１３を貫通しており、上記ガイドローラ支持部材２０３の上部２１３の反ガイドローラ２１５側（図１２中下側）に突出された部分には図示しない雌ネジ部が形成されている。この雌ネジ部にはナット２１９が螺合されており、これによって上記軸部２１７及び上記ガイドローラ２１５が上記ガイドローラ支持部材２０１に固定されている。また、このナット２１９と上記ガイドローラ支持部材２０３の上部２１３との間にはワッシャ２２１が介挿されている。
【００６０】
そして、上記ガイドローラ２１５は、引戸９が閉鎖される際や解放される直前には、上記戸先側下部ガイドユニット１３ａの上記ガイドローラ２１５は上記引戸９に設置された戸先側下部被ガイド部材１９５の傾斜被ガイド面１９９や水平被ガイド面２０１に当接され、上記戸尻側下部ガイドユニット１３ｂの上記ガイドローラ２１５は上記引戸９に設置された戸尻側下部被ガイド部材１９７の傾斜被ガイド面１９９や水平被ガイド面２０１に当接される。これにより、上記引戸９が上記戸先側下部ガイドユニット１３ａや上記戸尻側下部ガイドユニット１３ｂによってもガイドされる。
【００６１】
また、例えば、図１３に示すように、上記引戸９の表側（図１３中下側）には引手２２２ａが設置されており、上記引戸９の裏側（図１３中上側）には埋め込み式引手２２２ｂが設置されている。また、上記引戸９には施錠装置２２２ｃも設置されている。
【００６２】
また、例えば、図２に示すように、開口部５の外周側の壁面３の表側にはパッキン取付部材２２３を介してパッキン２２５が設置されている。また、上記引戸９の下端部にもパッキン２２７が備えられている。上記引戸９によって開口部５が閉鎖された際には、上記パッキン２２５によって、上記引戸９の上側（図１中上側）と幅方向両側（図１中左右方向両側）における上記引戸９と上記壁面３との間が密閉される。また、上記パッキン２２７によって、上記引戸９の下側と設置面１１との間が密閉される。
【００６３】
また、例えば、図１に示すように、上記壁面３の表側（図１中紙面垂直方向手前側）であって、上記開口部５の戸尻側（図１中右側）には壁面側ガイド部材２２９が設置されている。この壁面側ガイド部材２２９は、上記引戸９の移動中や解放時に上記引戸９の下側に当接し、上記引戸９が略垂直となる支持している。
以上が、本実施の形態による引戸装置１の構成である。
【００６４】
次に、図１４〜図２５を参照して、本実施の形態による引戸装置１の作用について説明する。
まず、図１４〜図１６、図１７〜図１９、図２０〜図２２を参照して、戸先側ローラユニット１２７の水平ローラ１７５と上側水平ローラ走行面５９、上部戸先側水平ローラ用傾斜面７５、及び、上部戸尻側水平ローラ用傾斜面７９との作用や、戸尻側ローラユニット１２９の水平ローラ１７５と下側水平ローラ走行面６１、下部戸先側水平ローラ用傾斜面９１、及び、下部戸尻側水平ローラ用傾斜面９５との作用について説明する。
【００６５】
引戸９が解放状態にあり、最も戸尻側に位置している場合は、図１４、図１７、及び、図２０に示すような状態となっている。このとき、上記引戸９は壁面３側に寄っており、上記戸先側ローラユニット１２７の水平ローラ１７５と上記戸尻側ローラユニット１２９の水平ローラ１７５は水平ローラ案内部材取付溝４９の底部に当接した状態となっている。
【００６６】
上記引戸９を戸先側（図１４中左側）に移動させていくと、上記戸先側ローラユニット１２７の水平ローラ１７５は上部戸尻側水平ローラ用傾斜面７９を走行していくとともに、上記戸尻側ローラユニット１２９の水平ローラ１７５は下部戸尻側水平ローラ用傾斜面９５を走行していく。このとき、上記引戸９は反壁面３側（図１４中下側）に離間しながら移動される。
更に上記引戸９を戸先側（図１４中左側）に移動させていくと、上記戸先側ローラユニット１２７の水平ローラ１７５は上側水平ローラ走行面５９を走行していくとともに、上記戸尻側ローラユニット１２９の水平ローラ１７５は下側水平ローラ走行面６１を走行していく。
【００６７】
そして、上記戸先側ローラユニット１２７の水平ローラ１７５が上側水平ローラ走行面５９の戸先側端部に到達すると同時に、上記戸尻側ローラユニット１２９の水平ローラ１７５が下側水平ローラ走行面６１の戸先側端部に到達する。このときの状態を図１５、図１８、図２１に示す。
【００６８】
この状態から更に、上記引戸９を戸先側（図１５中左側）に移動させていくと、上記戸先側ローラユニット１２７の水平ローラ１７５は上部戸先側水平ローラ用傾斜面７５を走行していくとともに、上記戸尻側ローラユニット１２９の水平ローラ１７５は下部戸先側水平ローラ用傾斜面９１を走行していく。このとき、上記引戸９は開口部５側（図１５中上側）に接近しながら移動される。
このとき、上記戸先側ローラユニット１２７の係止ナット１７７が上部壁面側係止部材１０３の係止部材側案内面１０５によって案内され、上記戸尻側ローラユニット１２９の係止ナット１７７が下部壁面側係止部材１０９の係止部材側案内面１１１によって案内される。
【００６９】
そして、上記引戸９が最も戸先側（図１５中左側）に到達し、上記開口部５が閉鎖されると、図１６、図１９、図２２に示す状態となる。このとき、上記引戸９は開口部５側に寄っており、上記戸先側ローラユニット１２７の水平ローラ１７５と上記戸尻側ローラユニット１２９の水平ローラ１７５は水平ローラ案内部材取付溝４９の底部に当接した状態となっている。また、上記戸先側ローラユニット１２７の係止ナット１７７は上記上部壁面側係止部材１０３と水平ローラ案内部材取付溝４９の底部との間にあり、上記戸尻側ローラユニット１２９の係止ナット１７７は上記下部壁面側係止部材１０９と水平ローラ案内部材取付溝４９の底部との間にある。
【００７０】
また、上記引戸９を戸尻側に移動させて開口部５を開放する場合は、上述したような動作と逆の動作が行われる。
なお、上記引戸９が上記開口部５を閉鎖する方向、すなわち、戸先側に移動する際、シリンダ３９が上記引戸９を減速させるように作用する。また、上記引戸９が上記開口部５を開放する方向、すなわち、戸尻側に移動する際、シリンダ４１が上記引戸９を減速させるように作用する。また、戸先側ストッパ１１５や戸尻側ストッパ１１７によって、上記引戸９の所定範囲外への移動が規制されている。
【００７１】
次に、図１７〜図１９、図２０〜図２２を参照して、戸先側ローラユニット１２７の吊りローラ１５５や戸尻側ローラユニット１２９の吊りローラ１５５と、レール側傾斜面１２５との作用について説明する。
本実施の形態においては、上記吊りローラ１５５の吊りローラ側傾斜面１５７とレール１２３のレール側傾斜面１２５との相互作用、及び、重力の作用により、引戸９は常時壁面３側（図１７中右側）に付勢された状態となっている。
引戸９が解放状態にあり、最も戸尻側に位置している場合は、図１７、及び、図２０に示すような状態となっている。このとき、上記引戸９は壁面３側に寄っており、上記レール１２３が上記戸先側ローラユニット１２７の吊りローラ１５５や上記戸尻側ローラユニット１２９の吊りローラ１５５の表側のフランジ部１５９に当接した状態となっている。
【００７２】
上記引戸９を戸先側（図１７紙面垂直奥側）に移動させていくと、前述したように、上記戸先側ローラユニット１２７の水平ローラ１７５は上部戸尻側水平ローラ用傾斜面７９を走行していくとともに、上記戸尻側ローラユニット１２９の水平ローラ１７５は下部戸尻側水平ローラ用傾斜面９５を走行していき、上記引戸９は反壁面３側（図１７中左側）に離間しながら移動される。
このとき、上記吊りローラ１５５は、その吊りローラ側傾斜面１５７とレール１２３のレール側傾斜面１２５とを当接させた状態で上記レール１２３と転動され、これにより上記引戸９は反壁面３側（図１７左側）に離間すると同時に上方（図１７中上側）へ持ち上げられながら移動される。その結果、上記レール１２３が上記戸先側ローラユニット１２７の吊りローラ１５５や上記戸尻側ローラユニット１２９の吊りローラ１５５の裏側のフランジ部１６１に当接した状態となる。
【００７３】
更に、上記引戸９を戸先側（図１７紙面垂直方向奥側）に移動させていくと、前述したように、上記戸先側ローラユニット１２７の水平ローラ１７５は上側水平ローラ走行面５９を走行していくとともに、上記戸尻側ローラユニット１２９の水平ローラ１７５は下側水平ローラ走行面６１を走行していく。このときの状態を図１８、図２１に示す。このとき、上記引戸９は反壁面３側に離間しており、上記戸先側ローラユニット１２７の吊りローラ１５５や上記戸尻側ローラユニット１２９の吊りローラ１５５は裏側のフランジ部１６１を上記レール１２３に当接させた状態で、上記レール１２３上を転動していく。
【００７４】
更に、上記引戸９を戸先側（図１８紙面垂直方向奥側）に移動させていくと、前述したように、上記戸先側ローラユニット１２７の水平ローラ１７５は上部戸先側水平ローラ用傾斜面７５を走行していくとともに、上記戸尻側ローラユニット１２９の水平ローラ１７５は下部戸先側水平ローラ用傾斜面９１を走行していき、上記引戸９は壁面３側（図１８中左側）に接近しながら移動される。
このとき、上記吊りローラ１５５は、その吊りローラ側傾斜面１５７とレール１２３のレール側傾斜面１２５とを当接させた状態で上記レール１２３上を転動され、これにより上記引戸９は壁面３側（図１８中右側）に接近するとともに下方（図１８中下側）へも移動される。
【００７５】
そして、上記引戸９が最も戸先側（図１８中紙面垂直方向奥側）に到達し、上記開口部５が閉鎖されると、図１９、図２２に示す状態となる。このとき、上記引戸９は開口部５側に寄っており、上記戸先側ローラユニット１２７の水平ローラ１７５と上記戸尻側ローラユニット１２９の水平ローラ１７５は水平ローラ案内部材取付溝４９の底部に当接した状態となっている。このとき、上記レール１２３が上記戸先側ローラユニット１２７の吊りローラ１５５や上記戸尻側ローラユニット１２９の吊りローラ１５５の表側のフランジ部１５９に当接した状態となっている。
また、上記引戸９によって開口部５が閉鎖された際には、パッキン２２５によって、上記引戸９の上側（図１中上側）と幅方向両側（図１中左右方向両側）における上記引戸９と上記壁面３との間が密閉される。
【００７６】
次に、図２３〜図２５を参照して、戸先側下部ガイドユニット１３ａと戸先側下部被ガイド部材１９５との作用や、戸尻側下部ガイドユニット１３ｂと戸尻側下部被ガイド部材１９７との作用について説明する。
引戸９が解放状態にあり、最も戸尻側に位置している場合は、図２３に示すような状態となっている。このとき、上記引戸９は壁面３側に寄っている。
【００７７】
次に、上記引戸９が戸先側（図２３中左側）に移動され、戸先側ローラユニット１２７の水平ローラ１７５が上側水平ローラ走行面５９の戸先側端部に到達すると同時に、上記戸尻側ローラユニット１２９の水平ローラ１７５が下側水平ローラ走行面６１の戸先側端部に到達すると、図２４に示すような状態となる。このとき、上記戸先側下部ガイドユニット１３ａのガイドローラ２１５が上記引戸９の戸先側下部被ガイド部材１９５の傾斜被ガイド面１９９の戸先側（図２４中左側）端部に当接するとともに、上記戸尻側下部ガイドユニット１３ｂのガイドローラ２１５が上記引戸９の戸尻側下部被ガイド部材１９７の傾斜被ガイド面１９９の戸先側（図２４中左側）端部に当接する。
【００７８】
更に、上記引戸９を戸先側（図２４左側）に移動させていくと、上記戸先側下部ガイドユニット１３ａのガイドローラ２１５が上記引戸９の戸先側下部被ガイド部材１９５の傾斜被ガイド面１９９に当接するとともに、上記戸尻側下部ガイドユニット１３ｂのガイドローラ２１５が上記引戸９の戸尻側下部被ガイド部材１９７の傾斜被ガイド面１９９に当接し、上記引戸９が上記戸先側下部ガイドユニット１３ａと上記戸尻側下部ガイドユニット１３ｂによってもガイドされる。その際、上記引戸９は上記ガイドローラ２１５、２１５と上記戸先側下部被ガイド部材１９５と戸尻側下部被ガイド部材１９７の相互作用によって、壁３側に付勢される。
【００７９】
そして、上記引戸９が最も戸先側（図２４中左側）に到達し、上記開口部５が閉鎖されると、図２５に示す状態となる。このとき、上記引戸９は開口部５側に寄っており、上記戸先側下部ガイドユニット１３ａのガイドローラ２１５が上記引戸９の戸先側下部被ガイド部材１９５の水平被ガイド面２０１に当接するとともに、上記戸尻側下部ガイドユニット１３ｂのガイドローラ２１５が上記引戸９の戸尻側下部被ガイド部材１９７の水平被ガイド面２０１に当接した状態となる。
また、上記引戸９によって開口部５が閉鎖された際には、上記パッキン２２５によって上記引戸９の上側と左右両側が密閉され、上記パッキン２２７によって上記引戸９の下側と設置面１１との間が密閉される。
以上が、本実施の形態による引戸装置１の作用である。
【００８０】
次に、本実施の形態による引戸装置１の効果について説明する。
まず、壁面３の開口部５の上側に設けられたレール１２３と、このレール１２３に沿って移動することにより上記開口部５を開閉する引戸９がある。上記引戸９には、戸先側ローラユニット１２７と戸尻側ローラユニット１２９とが設けられており、上記戸先側ローラユニット１２７と戸尻側ローラユニット１２９とはそれぞれ上記レール１２３に沿って転動する吊りローラ１５５を備えている。そして、上記レール１２３に設けられ上記開口部５側に向かって下り勾配となったレール側傾斜面１２５と、上記吊りローラ１５５に設けられ上記レール側傾斜面１２５に当接・配置された吊りローラ側傾斜面１５７と、を具備し、上記レール側傾斜面１２５と上記吊りローラ側傾斜面１５７の作用により上記引戸９を常時上記開口部５側に付勢するようにしたため、上記吊りローラ側傾斜面１５７を上記レール側傾斜面１２５に対して滑らせることで、例えば、上記レール１２３をその一部を変形させたり別の案内用部材を取り付けたりするような複雑な構成を要することなく、簡易な構成により、上記引戸９を上記開口部５側に移動させ、上記引戸９によって上記開口部５を閉鎖させることができる。
【００８１】
また、上記レール側傾斜面１２５と上記吊りローラ側傾斜面１５７との相互作用と重力の作用によって、上記引戸９を上記開口部５側に移動させることができるようになっている。そのため、上記引戸９によって容易に上記開口部５を閉鎖させることができるとともに、閉鎖された上記開口部５が不用意に解放されてしまうことを防止することができる。
【００８２】
また、上記引戸９の戸先側ローラユニット１２７と戸尻側ローラユニット１２９にはそれぞれ水平ローラ１７５が備えられている。上記壁面３の開口部５の上側には、上記戸先側ローラユニット１２７の水平ローラ１７５が走行する上側水平ローラ走行面５９が形成された上側水平ローラ走行部材５５が設置されているとともに、上記戸尻側ローラユニット１２９の水平ローラ１７５が走行する下側水平ローラ走行面６１が形成された下側水平ローラ走行部材５７が設置されている。そして、上記上側水平ローラ走行部材５５の戸先側の端部には上記開口部５側に向かって傾斜され上記上側水平ローラ走行面５９と連続した上部戸先側水平ローラ用傾斜面７５が形成された上部戸先側水平ローラ案内部材７５が設置されているとともに、上記下側水平ローラ走行部材５７の戸先側の端部には上記開口部５側に向かって傾斜され上記下側水平ローラ走行面６１と連続した下部戸先側水平ローラ用傾斜面７９が形成された下部戸先側水平ローラ案内部材８７が設置されている。このような構成により、上記水平ローラ１７５によって、上記引戸９の開閉を容易なものとすることができる。また、上記上側水平ローラ走行部材５５や下側水平ローラ走行部材５７の寸法や設置位置の変更を行うことで、上記上部戸先側水平ローラ案内部材７５や下部戸先側水平ローラ案内部材８７の位置を容易に変更することができ、施工時の調整を容易なものとすることができる。
【００８３】
また、本実施の形態の場合には、上記戸先側ローラユニット１２７の水平ローラ１７５の取付高さと上記戸尻側ローラユニット１２９の水平ローラ１７５の取付高さがそれぞれ異なっている。また、上記戸先側ローラユニット１２７の水平ローラ１７５に対応する上記上側水平ローラ走行部材５５と上記上部戸先側水平ローラ案内部材７５が設けられており、それとは別に、上記戸尻側ローラユニット１２９の水平ローラ１７５に対応する上記下側水平ローラ走行部材５７と上記下部戸先側水平ローラ案内部材８７が設けられている。つまり、上記戸先側ローラユニット１２７の水平ローラ１７５と上記戸尻側ローラユニット１２９の水平ローラ１７５の軌道が相互に干渉しない構成になっているので、例えば、引戸９を開口部５に対して全く重複しないところまで移動・開放させても、戸先側ローラユニット１２７の水平ローラ１７５が戸尻側ローラユニット１２９の水平ローラ１７５を案内する部材に干渉してしまうようなこともなく、それによって、いわゆる「引き残し」をなくすことができる。
【００８４】
また、上記開口部５の上側には上記レール１２３が突出・形成されるとともに上記上側水平ローラ走行部材５５や上記下側水平ローラ走行部材５７が設置される水平ローラ走行部材用取付溝４７が形成されたレールユニット７が設置されている。また、上記水平ローラ走行部材取付溝４７内には更に水平ローラ案内部材取付溝４９が形成され、上記水平ローラ案内部材取付溝４９内に上記水平ローラ案内部材７１、７３、８７、８９が設置され、上記引戸９が上記開口部５を閉鎖した際に上記水平ローラ１７５は上記水平ローラ案内部材取付溝４９の底部に当接するように構成されている。そのため、上記水平ローラ走行部材用取付溝４７や上記水平ローラ案内部材取付溝４９を利用することで、上記上側水平ローラ走行部材５５、上記下側水平ローラ走行部材５７、上記上部戸先側水平ローラ案内部材７１、上記上部戸尻側水平ローラ案内部材７３、上記下部戸先側水平ローラ案内部材８７、上記下部戸尻側水平ローラ案内部材８９の設置や位置の調整等を容易に行うことができる。
【００８５】
また、上記引戸９の戸先側ローラユニット１２７と戸尻側ローラユニット１２９には引戸側係止部材としての係止ナット１７７が設けられているとともに、上記壁面３には上部壁面側係止部材１０３と下部壁面側係止部材１０９が設けられており、上記引戸９が閉鎖された際に、上記戸先側ローラユニット１２７の係止ナット１７７が上記上部壁面側係止部材１０３と係合し、上記戸尻側ローラユニット１２９の係止ナット１７７が上記下部壁面側係止部材１０９と係合するように構成されている。そのため、上記引戸９によって上記開口部５を閉鎖した際、上記引戸９が不用意に反開口部５側に移動してしまうことを防止すねことができる。
【００８６】
上記上部壁面側係止部材１０３や下部壁面側係止部材１０９は上記上側水平ローラ走行部材５５、下側水平ローラ走行部材５７、上部戸先側水平ローラ案内部材７１、下部戸先側水平ローラ案内部材８７に対向して設けられているとともに、上記上部戸先側水平ローラ用傾斜面７５に対応した係止部材側案内面１０５や、下部戸先側水平ローラ用傾斜面９１に対応した係止部材側案内面１１１が形成されている。また、上記係止ナット１７７は上記水平ローラ１７５と同軸に設けられており、上記引戸９が閉鎖方向に移動される際、上記係止ナット１７７が上記係止部材側案内面１０５、１１１に案内されるように構成されているため、上記係止ナット１７７を確実に上記上部壁面側係止部材１０３や下部壁面側係止部材１０９に係合させることができる。
【００８７】
また、上記引戸９の戸先側ローラユニット１２７と戸尻側ローラユニット１２９には外れ止め部材１７９が設けられており、上記レール１２３は上記吊りローラ１５５と上記外れ止め部材１７９との間に配置される。そのため、上記引戸９の脱落を防ぐことができる。
【００８８】
また、上記開口部５の外側の設置面１１には戸先側下部ガイドユニット１３ａと戸尻側下部ガイドユニット１３ｂが設置されているとともに上記引戸９に戸先側下部被ガイド部材１９５と戸尻側下部被ガイド部材１９７が設置されている。そして、上記引戸９が閉鎖方向に移動される際、上記戸先側下部被ガイド部材１９５と上記戸先側下部ガイドユニット１３ａのガイドローラ２１５とが当接されるとともに、上記戸尻側下部被ガイド部材１９７と上記戸尻側下部ガイドユニット１３ｂのガイドローラ２１５とが当接されて上記引戸９が案内される。そのため、上記引戸９全体を確実に上記開口部５側へと移動させることができる。
【００８９】
また、上記戸先側下部被ガイド部材１９５や上記戸尻側下部被ガイド部材１９７には、上記上部戸先側水平ローラ用傾斜面７５や下部戸先側水平ローラ用傾斜面９１に対応した傾斜被ガイド面１９９が形成されている。そのため、上記引戸９の上側と下側とを同時に上記開口部５側へと移動させることで上記引戸９を略垂直に保つことができるとともに、上記引戸９の移動を円滑なものとすることができる。
以上が、本実施の形態による引戸装置１の効果である。
【００９０】
なお、本発明は、前述した一実施の形態に限定されない。
前述した一実施の形態の場合には、上側水平ローラ走行部材５５の戸先側端部に上部戸先側水平ローラ案内部材７１が設置されるとともに上記上側水平ローラ走行部材５５の戸尻側端部には上部戸尻側水平ローラ案内部材７３が設置されているが、戸先側水平ローラ案内部材７１のみを設ける場合も考えられる。
また、同様に、下側水平ローラ走行部材５７についても、その戸先側の下部戸先側水平ローラ案内部材８７のみを設ける場合も考えられる。
【００９１】
また、例えば、戸先側下部ガイドユニット１３ａや戸尻側下部ガイドユニット１３ａに傾斜被ガイド面１９９や水平被ガイド面２０１を備えた戸先側下部被ガイド部材１９５、戸尻側下部被ガイド部材１９７を設け、引戸９側にガイドローラ２１５を設ける構成とすることも考えられる。
その他、本発明は、図示した構成に限定されず、様々な変形が考えられる。
【産業上の利用可能性】
【００９２】
本発明は、例えば、出入口用開口部を気密状態で閉鎖する引戸装置に係り、特に、引戸を壁面の開口部側に引き寄せるための構成を簡略化させることが可能となるように工夫したものに関し、例えば、冷蔵室の出入口の引戸装置に好適である。
【符号の説明】
【００９３】
１  引戸装置
３  壁面
５  開口部
７  レールユニット
９  引戸
１３ａ  戸先側下側ガイドユニット（下部ガイド部材）
１３ｂ  戸尻側下側ガイドユニット（下部ガイド部材）
４７  水平ローラ走行部材取付溝
４９  水平ローラ案内部材取付溝
５５  上側水平ローラ走行部材
５７  下側水平ローラ走行部材
５９  上側水平ローラ走行面
６１  下側水平ローラ走行面
７１  上部戸先側水平ローラ案内部材
７３  上部戸尻側水平ローラ案内部材
７５  上部戸先側水平ローラ傾斜面
７９  上部戸尻側水平ローラ傾斜面
８７  下部戸先側水平ローラ案内部材
８９  下部戸尻側水平ローラ案内部材
９１  下部戸先側水平ローラ傾斜面
９５  下部戸尻側水平ローラ傾斜面
１０３  上部壁面側係止部材
１０５  係止部材側案内面
１０９  下部壁面側係止部材
１１１  係止部材側案内面
１２３  レール
１２５  レール側傾斜面
１５５  吊りローラ
１５７  吊りローラ側傾斜面
１７５  水平ローラ
１７７  係止ナット（引戸側係止部材）
１９５  戸先側下部被ガイド部材
１９７  戸尻側下部被ガイド部材
１９９  傾斜被ガイド面（案内面）
【図１】
2014129644.tif 000003
【図２】
2014129644.tif 000004
【図３】
2014129644.tif 000005
【図４】
2014129644.tif 000006
【図５】
2014129644.tif 000007
【図６】
2014129644.tif 000008
【図７】
2014129644.tif 000009
【図８】
2014129644.tif 000010
【図９】
2014129644.tif 000011
【図１０】
2014129644.tif 000012
【図１１】
2014129644.tif 000013
【図１２】
2014129644.tif 000014
【図１３】
2014129644.tif 000015
【図１４】
2014129644.tif 000016
【図１５】
2014129644.tif 000017
【図１６】
2014129644.tif 000018
【図１７】
2014129644.tif 000019
【図１８】
2014129644.tif 000020
【図１９】
2014129644.tif 000021
【図２０】
2014129644.tif 000022
【図２１】
2014129644.tif 000023
【図２２】
2014129644.tif 000024
【図２３】
2014129644.tif 000025
【図２４】
2014129644.tif 000026
【図２５】
2014129644.tif 000027